(57)【要約】【課題】  電子体温計を収納する収納ケースにおいて、まとめて持ち運ぶのに便利な構造を提供することを目的とする。【解決手段】  被検者の体温を測定する電子体温計１００を収納する収納ケース１１０であって、電子体温計１００を収納した場合に、電子体温計１００のマグネットリードスイッチ１０４と対向する位置の第１の面１１１−１に配された磁石２１１と、第１の面１１１−１に対向する第２の面１１１−２において、磁石２１１の位置に対応する位置に、磁石２１１の磁極の配列と反対の磁極の配列により配された磁石２１２とを備えることを特徴とする。【選択図】  図２
2014062840.tif 000002
【特許請求の範囲】
【請求項１】
電子体温計を収納する収納ケースであって、
前記電子体温計を収納した場合に、前記電子体温計のマグネットリードスイッチと対向する位置の第１の面に配された第１の磁性体と、
前記第１の面に対向する第２の面において、前記第１の磁性体の位置に対応する位置に、前記第１の磁性体の磁極の配列と反対の磁極の配列により配された第２の磁性体と
を備えることを特徴とする収納ケース。
【請求項２】
電子体温計を収納する収納ケースであって、
第１の面に配された第１の磁性体と、
前記第１の面に対向する第２の面において、前記第１の磁性体が配された位置に対応する位置に、前記第１の磁性体の磁極の配列と反対の磁極の配列により配された第２の磁性体と
を備えることを特徴とする収納ケース。
【請求項３】
前記第２の磁性体の周囲には、前記第２の磁性体の磁気が前記収納ケースの収納空間に及ばないように防磁体が配されていることを特徴とする請求項１または２に記載の収納ケース。
【請求項４】
前記第１の磁性体の磁極は、前記収納ケースに前記電子体温計を収納した場合に、前記電子体温計のマグネットリードスイッチがＯＦＦとなるように配列されていることを特徴とする請求項１または３に記載の収納ケース。
【請求項５】
前記第１の面の前記第１の磁性体が配された領域は、他の収納ケースの第２の面の第２の磁性体が配された領域と嵌合する形状に形成されていることを特徴とする請求項１乃至４のいずれか１項に記載の収納ケース。
【請求項６】
前記第２の面の前記第２の磁性体が配された領域は、他の収納ケースの第１の面の第１の磁性体が配された領域と嵌合する形状に形成されていることを特徴とする請求項１乃至４のいずれか１項に記載の収納ケース。
【発明の詳細な説明】
【技術分野】
【０００１】
本発明は、電子体温計の収納ケースに関するものである。
【背景技術】
【０００２】
従来より、収納ケースへの出し入れに伴って電源のＯＮ／ＯＦＦが自動的に行われる電子体温計が知られている。当該電子体温計には、磁気でＯＮ／ＯＦＦするリードスイッチが内蔵されており、収納ケースに収められ、該リードスイッチが該収納ケースに取り付けられた磁石の磁気の影響を受けることで電源がＯＦＦとなり、収納ケースから取り出され、磁気の影響を受けなくなることで電源がＯＮとなる仕組みとなっている。
【０００３】
当該電子体温計によれば、電源のＯＮ／ＯＦＦを行う手間が省け、ユーザの利便性が向上する。
【先行技術文献】
【特許文献】
【０００４】
【特許文献１】特開２０１１−２２３７号公報
【発明の概要】
【発明が解決しようとする課題】
【０００５】
一方で、上記のように収納ケースに入れて保管される電子体温計の場合、収納ケースを必要としない電子体温計と比べて持ち運びが不便であるといった不都合がある。このため、例えば、病院等の医療機関のように、看護師等が１度に複数の電子体温計を持って各病室等を回る必要がある場合には、複数本の収納ケースをテープで束ねて持ち運ぶといった対応を採っていた。
【０００６】
このようなことから、収納ケースに入れて保管される電子体温計においては、収納ケースどうしを簡単に束ねることができる構造となっていることが望ましい。
【０００７】
本発明は上記課題に鑑みてなされたものであり、電子体温計の収納ケースにおいて、まとめて持ち運ぶのに便利な構造を提供することを目的とする。
【０００８】
より具体的には、マグネットリードスイッチを備え、収納ケースへの出し入れに伴って電源のＯＮ／ＯＦＦが行われる電子体温計を収納する収納ケースにおいて、まとめて持ち運ぶのに便利な構造を提供することを目的とする。
【課題を解決するための手段】
【０００９】
上記の目的を達成するために本発明に係る電子体温計の収納ケースは以下のような構成を備える。即ち、
電子体温計を収納する収納ケースであって、
前記電子体温計を収納した場合に、前記電子体温計のマグネットリードスイッチと対向する位置の第１の面に配された第１の磁性体と、
前記第１の面に対向する第２の面において、前記第１の磁性体の位置に対応する位置に、前記第１の磁性体の磁極の配列と反対の磁極の配列により配された第２の磁性体とを備えることを特徴とする。
【００１０】
また、上記の目的を達成するために本発明に係る他の電子体温計の収納ケースは以下のような構成を備える。即ち、
電子体温計を収納する収納ケースであって、
第１の面に配された第１の磁性体と、
前記第１の面に対向する第２の面において、前記第１の磁性体が配された位置に対応する位置に、前記第１の磁性体の磁極の配列と反対の磁極の配列により配された第２の磁性体とを備えることを特徴とする。
【発明の効果】
【００１１】
本発明によれば、電子体温計の収納ケースにおいて、まとめて持ち運ぶのに便利な構造を提供することが可能となる。
【００１２】
より具体的には、マグネットリードスイッチを備え、収納ケースへの出し入れに伴って電源のＯＮ／ＯＦＦが行われる電子体温計を収納する収納ケースにおいて、まとめて持ち運ぶのに便利な構造を提供することが可能となる。
【図面の簡単な説明】
【００１３】
【図１】電子体温計１００及びその収納ケース１１０を正面から見た場合の外観構成を示す図である。
【図２】電子体温計１００及びその収納ケース１１０を側面から見た場合の外観構成及びその断面構成を示す図である。
【図３】収納ケース１１０を束ねた場合の接続部の構成を示す図である。
【図４】複数の収納ケースを束ねた様子を示す図である。
【図５】収納ケース５１０を側面から見た場合の外観構成及びその断面構成を示す図である。
【発明を実施するための形態】
【００１４】
以下、必要に応じて添付図面を参照しながら本発明の各実施形態の詳細を説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
［第１の実施形態］
＜１．電子体温計の外観構成＞
図１は、電子体温計１００及び電子体温計１００を収納する、本発明の一実施形態に係る収納ケース１１０を正面から見た場合の外観構成を示す図である。
【００１６】
図１において、１０１は電子体温計１００のハウジングであり、１０２はエンドキャップである。エンドキャップ１０２は、内蔵された温度計測部に対して被検者の体温が伝導しやすいように、ステンレスなどの金属により被覆されている。１０３は体温測定結果として体温データ等を表示する表示部である。１０４は、電子体温計１００に内蔵された、電子体温計１００の電源をＯＮ／ＯＦＦするためのマグネットリードスイッチを含むスイッチ構造である。
【００１７】
また、１１１は収納ケース１１０の本体部であり、１１２は本体部１１１の上部を覆う蓋部である。蓋部１１２は回動部１１３を介して本体部１１１に接続されており、これにより、蓋部１１２は矢印１１５方向に回動する。１１４は磁石（磁性体）であり、収納ケース１１０の正面（Ｘ−Ｙ平面）側であって、電子体温計１００をエンドキャップ１０２を下に向けて収納した際の、スイッチ構造１０４の位置に対応する位置に取り付けられている。これにより、電子体温計１００が収納ケース１１０に収納された際に、磁石１１４の磁気の影響により、電子体温計１００の電源がＯＦＦとなる。
【００１８】
＜２．スイッチ構造の動作＞
次に、電子体温計１００のスイッチ構造１０４の動作について図２を用いて詳説する。図２は電子体温計１００及びその収納ケース１１０を側面から見た場合の外観構成及びその断面構成を示す図である。
【００１９】
なお、図２の紙面上側は、電子体温計１００を収納ケース１１０から取り出した状態を示しており、図２の紙面下側は、電子体温計１００を収納ケース１１０に収納した状態を示している。また、図２の紙面右側は、スイッチ構造１０４及びその領域周辺２２１、２２２の断面構成を示している。
【００２０】
はじめに、電子体温計１００を収納ケース１１０から取り出した状態の図について説明する。図２の紙面上側において、１０１−１は電子体温計１００の正面側のハウジングであり、１０１−２は電子体温計１００の裏面側のハウジングである。また、２０１はマグネットリードスイッチである。マグネットリードスイッチ２０１は、弾性的に可動できるようにした、一対の磁性体リード片２０２、２０３を、一定のオーバラップとギャップを持たせて、不活性ガスとともにガラスチューブに封入してなるスイッチである。
【００２１】
２０４は電子体温計１００の正面側のハウジング１０１−１において、マグネットリードスイッチ２０１に対向する位置に取り付けられた磁石（磁性体）である。磁石２０４はＹ軸方向に沿ってＮ極とＳ極とが配列されており、これにより、Ｙ軸方向の上側に配されたマグネットリードスイッチ２０１の磁性体リード片２０２はＳ極に磁化され、Ｙ軸方向の下側に配されたマグネットリードスイッチ２０１の磁性体リード片２０３はＮ極に磁化される。なお、磁性体リード片２０２、２０３が磁化されることで、磁性体リード片２０２の先端と磁性体リード片２０３の先端とが接触し、電源がＯＮとなる。
【００２２】
２０５はマグネットリードスイッチ２０１を含む各種素子が配された回路基板であり、電源がＯＮされることで起動する。
【００２３】
次に、電子体温計１００を収納ケース１１０に収納した状態の図について説明する。図２の紙面下側において、１１１−１は収納ケース１１０の本体部１１１の正面側のハウジングであり、１１１−２は収納ケース１１０の本体部１１１の裏面側のハウジングである。２１１は磁石（磁性体）であり、収納ケース１１０の本体部１１１の正面側のハウジング１１１−１において、電子体温計１００を収納ケース１１０に収納した際の、磁石２０４に対応する位置に取り付けられている。磁石２１１はＹ軸方向に沿ってＳ極とＮ極とが配列されている。これにより、電子体温計１００を収納ケース１１０に収納した場合に、Ｙ軸方向の上側にＮ極が配列され下側にＳ極が配列された磁石２０４との間で同じ方向に（つまり、互いに磁力を強め合う方向に）磁気が発生する。この結果、磁石２０４によるマグネットリードスイッチ２０１に対する磁気が打ち消され、磁性体リード片２０２及び磁性体リード片２０３がその機械的弾性力により元の位置（磁化されていない状態の位置）に戻り、非接触の状態となる（つまり、電源がＯＦＦとなる）。
【００２４】
２１２は磁石（磁性体）であり、収納ケース１１０の裏面側のハウジング１１１−２において、磁石２１１に対向する位置に取り付けられている。磁石２１２はＹ軸方向に沿ってＮ極とＳ極とが配列されている。
【００２５】
２１３は防磁体であり、収納ケース１１０の本体部１１１の裏面側のハウジング１１１−２において、磁石２１２の周囲（後述する他の収納ケースと接続される側の面を除く）を取り囲むようにして取り付けられている。これにより、磁石２１２の磁気（磁界）の影響が、収納ケース１１０の収納空間、特に、収納された電子体温計１００のスイッチ構造１０４に及ぶことを回避させることが可能となる。
【００２６】
＜３．磁石の機能＞
次に、収納ケース１１０の磁石２１１、２１２の機能について図３を用いて説明する。図３は、収納ケース１１０を他の収納ケース３１０と束ねた場合の接続部の構成を示す図である。
【００２７】
上述したように、本実施形態において、収納ケース１１０の磁石２１１は、電子体温計１００を収納ケース１１０に収納した際に、電子体温計１００に取り付けられた磁石２０４との間で同じ方向に磁気を発生させることで、磁石２０４により磁化された磁性体リード片２０３、２０４の磁気を打ち消す役割（電子体温計１００の電源のＯＮ／ＯＦＦ部としての役割）を果たす。
【００２８】
一方、本実施形態において、収納ケース１１０の磁石２１２は、他の収納ケース３１０と接続するための接続部としての役割を果たす。上述したように、磁石２１２は、Ｙ軸方向の上側にＮ極が配列され、下側にＳ極が配列されており、Ｙ軸方向の上側にＳ極が配列され、下側にＮ極が配列された磁石３２１とは磁極が逆の配列となっている。
【００２９】
つまり、収納ケース１１０を他の収納ケース３１０と向きを揃えて並べた場合、磁石２１２は、他の収納ケース３１０の電源ＯＮ／ＯＦＦ部としての役割を果たす磁石３２１との間で同じ方向に磁気を発生させるため、互いに引き寄せ合うこととなる。換言すると、収納ケース１１０を他の収納ケース３１０と向きを揃えて並べた場合、本実施形態に係る収納ケース１１０は、収納ケース３１０との間で、接続した状態を維持させることが可能な構成となっている。
【００３０】
なお、３２３は、防磁体であり、収納ケース３１０の本体部３１１の裏面側のハウジング３１１−２において、磁石３２２の周囲を取り囲むようにして取り付けられている。これにより、磁石３２２の磁気（磁界）の影響が、収納ケース３１０の収納空間、特に、収納された電子体温計のスイッチ構造１０４に及ぶことを回避させることが可能となる。
【００３１】
＜４．実施例＞
次に、収納ケース１１０と同じ構成を有する複数の収納ケース（３１０、４１０、４２０〜４４０）をまとめて持ち運ぶ場合の実施例について説明する。図４は、複数の収納ケースをまとめて持ち運ぶべく、束ねた様子を示している。
【００３２】
上述したように、収納ケースは、それぞれ電源ＯＮ／ＯＦＦ部としての役割を果たす磁石と、接続部としての役割を果たす磁石とが配置されており、収納ケースを、向きを揃えたうえで側面どうしが接触するように並べた場合、互いに引き寄せ合うこととなる。この結果、各収納ケースは、向きを揃えて接続した状態を維持することが可能となる。
【００３３】
なお、図４の例では、蓋部１１２の上部に矢印マークが設けられている。これは束ねる方向を示す識別子であり、これにより、ユーザは、収納ケースの向きを間違えることなく束ねることが可能となる。
【００３４】
以上の説明から明らかなように、本実施形態に係る収納ケースでは、電子体温計１００を収納した際の、電子体温計１００のスイッチ構造に対応する位置に配された、電子体温計１００の電源ＯＮ／ＯＦＦ部としての役割を果たす磁石と対向する位置に、接続部としての役割を果たす磁石を配する構成とした。
【００３５】
そして、接続部としての役割を果たす磁石の磁極の配列を、電源ＯＮ／ＯＦＦ部としての役割を果たす磁石の磁極の配列と反対になるように構成した。
【００３６】
これにより、他の収納ケースとの間で、側面どうしが接触するように並べた場合に、収納ケースどうしの接続した状態を維持させることが可能となった。
【００３７】
つまり、収納ケースへの出し入れに伴って電源のＯＮ／ＯＦＦが行われる電子体温計において、まとめて持ち運ぶのに便利な構造を提供することが可能となった。
【００３８】
［第２の実施形態］
上記第１の実施形態では、他の収納ケースと接続される側面の形状は、平面であるとして説明したが、本発明はこれに限定されず、収納ケースどうしを揃えるのがより簡単にできるよう、側面は凹凸部を有する構成であってもよい。
【００３９】
図５は、本実施形態に係る収納ケース５１０の本体部５１１を側面から見た場合の外観構成、及び、磁石が配置された領域及びその周辺５３１の断面構成を示す図である。図５に示すように、収納ケース５１０の本体部５１１の正面側のハウジング５１１−１には、電源のＯＮ／ＯＦＦ部としての役割を果たす磁石５２１が配された位置に凹部５１３が形成されている。一方、収納ケース５１０の本体部５１１の裏面側のハウジング５１１−２には、接続部としての役割を果たす磁石５２２が配された位置に凸部５１４が形成されている。
【００４０】
かかる構成により、収納ケース５１０を、他の収納ケースと向きを揃えたうえで側面どうしが接触するように並べた場合に、収納ケース５１０の磁石５２２の凸部５１４が、他の収納ケースの電源のＯＮ／ＯＦＦ部としての役割を果たす磁石の凹部に嵌合されることとなり、より強固な接続を実現することが可能となる。同様に、収納ケース５１０の磁石５２１の凹部５１３に、他の収納ケースの接続部としての役割を果たす磁石の凸部が嵌合されることとなり、より強固な接続を実現することが可能となる。
【００４１】
なお、５２３は防磁体であり、収納ケース５１０の本体部５１１の裏面側のハウジング５１１−２において、磁石５２２の周囲を取り囲むようにして取り付けられている。これにより、磁石５２２の磁気（磁界）の影響が、収納ケース５１０の収納空間、特に、収納された電子体温計１００のスイッチ構造１０４に及ぶことを回避させることが可能となる。
【００４２】
なお、上記第１の実施形態と同様に、蓋部の上部に矢印マーク等を設けることで、ユーザは、収納ケースの向きを間違えることなく束ねることが可能となる。
【００４３】
以上、マグネットリードスイッチを備えた電子体温計を収納する場合について説明したが、特に本発明を限定する旨の記載がない限り、これらの態様に限られるものではなく、通常の電源ＯＮ／ＯＦＦスイッチを備える電子体温計においても適用可能であることはいうまでもない。
【符号の説明】
【００４４】
１００：電子体温計、１０１：ハウジング、１０２：エンドキャップ、１０３：表示部、１０４：スイッチ構造、１１０：収納ケース、１１１：本体部、１１２：蓋部、１１３：回動部、１１４：磁石、２０１：マグネットリードスイッチ、２０２：磁性体リード片、２０３：磁性体リード片、２０４：磁石、２０５：回路基板、２１１：磁石、２１２：磁石、２１３：防磁体、３１０：収納ケース、３２１：磁石、３２２：磁石、３２３：防磁体、５１０：収納ケース、５１２：蓋部、５１３：凹部、５１４：凸部、５２１：磁石、５２２：磁石、５２３：防磁体
【図１】
2014062840.tif 000003
【図２】
2014062840.tif 000004
【図３】
2014062840.tif 000005
【図４】
2014062840.tif 000006
【図５】
2014062840.tif 000007